(57)【要約】  【課題】従来のＰＳＴＮ網を介した既存の電話サービスを、ＩＰ網を介して容易に実現する技術を提供すること。  【解決手段】センタ側装置１０５から通信回線の確保を指示する制御信号を特定する情報をＲＴＣＰ／ＡＰＰパケットに格納してゲートウェイ装置１１０に送信し、ゲートウェイ装置１１０において、特定された制御信号をＴ−ＮＣＵ１０２に送信して通信回線を確保し、確保した通信回線を用いて、テレメータ１０１で検出されたデータをＲＴＰパケットに格納してセンタ側装置１０５に送信する。【選択図】図１
2008042587.tif 000002
【特許請求の範囲】
【請求項１】
第一のネットワークと第二のネットワークとの間の相互における通信を中継するための中継装置であって、
前記第一のネットワークにおける制御信号及び当該制御信号の各々に対応する識別情報を対応させた対応情報を記憶する記憶部と、制御部と、を備え、
前記制御部は、
前記第一のネットワークを介して受信した制御信号を、前記対応情報を参照して、当該制御信号に対応する識別情報に変換する第一の変換処理と、
前記第一の変換処理により変換された識別情報を前記第二のネットワークに送信する第一の送信処理と、
前記第二のネットワークを介して受信した識別情報を、前記対応情報を参照して、当該識別情報に対応する制御信号に変換する第二の変換処理と、
前記第二の変換処理により変換された制御信号を前記第一のネットワークに送信する第二の送信処理と、
を制御すること、
を特徴とする中継装置。
【請求項２】
請求項１に記載の中継装置であって、
前記制御部は、さらに、
前記第一のネットワークを介して受信したデータ信号を、前記第二のネットワークにおける通信情報に変換する第三の変換処理と、
前記第三の変換処理により変換された通信情報を、前記第二のネットワークに送信する第三の送信処理と、
を制御すること、
を特徴とする中継装置。
【請求項３】
請求項１又は２に記載の中継装置であって、
前記第一のネットワークはＰＳＴＮ網であり、前記第二のネットワークはＩＰ網であること、
を特徴とする中継装置。
【請求項４】
請求項３に記載の中継装置であって、
前記制御信号は、少なくとも、回線における極性の反転を指示するものを含むこと、
を特徴とする中継装置。
【請求項５】
請求項３に記載の中継装置であって、
第一の変換処理は、前記制御情報を格納したＲＴＣＰ／ＡＰＰパケットを生成する処理であり、
前記第三の変換処理は、前記データ信号をＲＴＰパケットに格納する処理であること、
を特徴とする中継装置。
【請求項６】
第一のネットワークと第二のネットワークとの間の相互における通信を中継するための中継装置における中継方法であって、
前記第一のネットワークを介して受信した制御信号を、当該制御信号に対応する識別情報に変換する第一の変換過程と、
前記第一の変換過程により変換された識別情報を前記第二のネットワークに送信する第一の送信過程と、
前記第二のネットワークを介して受信した識別情報を、当該識別情報に対応する制御信号に変換する第二の変換過程と、
前記第二の変換過程により変換された制御信号を前記第一のネットワークに送信する第二の送信過程と、
を備えること、
を特徴とする中継方法。
【発明の詳細な説明】
【技術分野】
【０００１】
本発明は、プロトコルの異なる第一のネットワークと第二のネットワークとの間での通信を中継する技術に関する。
【背景技術】
【０００２】
インターネット技術の急速な発展及び普及に伴って、電話における音声通信も、ＰＳＴＮ（Public Switched Telephone Networks）網を使用したものからＩＰ（Internet Protocol）網を使用したものに移行しつつある。
【０００３】
この点、特許文献１に記載されている技術では、ＰＳＴＮ網やＩＰ網に接続されている端末に、例えば、三者間での通話を行うことができる三者間通話サービス等の各種サービスを提供することができるサービス提供装置に関する技術が記載されている。
【０００４】
【特許文献１】特開２００２−２１８０５５号公報
【発明の開示】
【発明が解決しようとする課題】
【０００５】
特許文献１に記載されているサービス提供装置では、サービスを提供するサービス提供装置と、このサービス提供装置に接続する交換装置と、ＰＳＴＮ網やＩＰ網に備えなければならず、システムの規模が大きくなり、かつ、サービスを提供するための制御が複雑になる。
【０００６】
そこで、本発明では、従来のＰＳＴＮ網を介した既存の電話サービスを、ＩＰ網を介して容易に実現する技術を提供することを目的とする。
【課題を解決するための手段】
【０００７】
以上の課題を解決するため、本発明は、制御信号と、当該制御信号に対応する識別情報と、を対応させた対応情報を記憶しておき、第一のネットワークを介して受信された制御信号を、当該対応情報に基づいて、当該制御信号に対応する識別情報に変換して第二のネットワークに送信する処理と、第二のネットワークを介して受信された識別情報を、当該対応情報に基づいて、当該識別情報に対応する制御信号に変換して第一のネットワークに送信する処理と、を行う中継装置を提供する。
【０００８】
例えば、本発明は、第一のネットワークと第二のネットワークとの間の相互における通信を中継するための中継装置であって、前記第一のネットワークにおける制御信号及び当該制御信号の各々に対応する識別情報を対応させた対応情報を記憶する記憶部と、制御部と、を備え、前記制御部は、前記第一のネットワークを介して受信した制御信号を、前記対応情報を参照して、当該制御信号に対応する識別情報に変換する第一の変換処理と、
前記第一の変換処理により変換された識別情報を前記第二のネットワークに送信する第一の送信処理と、前記第二のネットワークを介して受信した識別情報を、前記対応情報を参照して、当該識別情報に対応する制御信号に変換する第二の変換処理と、前記第二の変換処理により変換された制御信号を前記第一のネットワークに送信する第二の送信処理と、を制御すること、を特徴とする。
【発明の効果】
【０００９】
以上のように、本発明によれば、ＰＳＴＮ網における制御信号を、当該制御信号を識別するための識別情報に変換してＩＰ網に送信し、また、ＩＰ網における識別情報を、当該識別情報により識別される制御信号に変換してＰＳＴＮ網に送信することができるため、従来のＰＳＴＮ網を介した既存の電話サービスを、ＩＰ網を介して容易に実現することができる。
【発明を実施するための最良の形態】
【００１０】
図１は、本発明の一実施形態である通信システム１００の概略図である。
【００１１】
図示するように、本実施形態である通信システム１００は、テレメータ１０１と、端末用網制御装置（以下、Ｔ−ＮＣＵ）１０２と、ゲートウェイ装置１１０と、ＳＩＰ（Session Initiation Protocol）サーバ１０３と、交換機１２０と、センタ用網制御装置（以下、Ｃ−ＮＣＵ）１０４と、センタ側装置１０５と、を備え、ゲートウェイ装置１１０、ＳＩＰサーバ１０３及び交換機１２０は、ＩＰ網１０６に接続されている。
【００１２】
テレメータ１０１は、ノーリンギングサービスにおいて使用される検針装置であって、後述するセンタ側装置１０５からの指令に応じて、ガス、電気、水道等のメータを自動的に検針する。なお、テレメータ１０１は、従来から使用されているものであるため、詳細な説明は省略する。
【００１３】
Ｔ−ＮＣＵ１０２は、テレメータ１０１における通信を中継するための装置であり、従来から使用されているものであるため詳細な説明は省略する。
【００１４】
ゲートウェイ装置１１０は、ＩＰ網１０６とＰＳＴＮ網とを接続するために、アナログ信号とデジタル信号との相互変換、データの圧縮・復元、および、パケットの分割・結合、といった従来から行われているネットワークの接続機能の他に、本実施形態におけるＲＴＰ制御を行う。なお、ゲートウェイ装置１１０の詳細については後述する。
【００１５】
ＳＩＰサーバ１０３は、ＳＩＰに従った呼制御を行う。例えば、ＳＩＰサーバ１０３は、レジスタ機能、ロケーション機能、プロキシ機能及びリダイレクト機能を備えている。
【００１６】
交換機１２０は、ＩＰ網１０６とＰＳＴＮ網とを接続するために従来から行われているネットワークの接続機能と、交換機１２０に接続されている端末からの通信や当該端末への通信を可能にするためのスイッチング制御と、本実施形態におけるノーリンギングサービスを行うためのノーリンギング制御と、を行う。なお、交換機１２０の詳細については後述する。
【００１７】
Ｃ−ＮＣＵ１０４は、センタ側端末１０５における通信を中継する装置であり、従来から使用されているものであるため詳細な説明は省略する。
【００１８】
センタ側装置１０５は、Ｃ−ＮＣＵ１０４を介して、テレメータ１０１に対して検針指令を出し、テレメータ１０１からの検診結果を受信する。
【００１９】
図２は、本実施形態におけるゲートウェイ装置１１０の概略図である。
【００２０】
図示するように、ゲートウェイ装置１１０は、回線ＩＦ（InterFace）部１１１と、変換部１１２と、ＩＰ網ＩＦ部１１３と、記憶部１１４と、制御部１１６と、を備えている。
【００２１】
回線ＩＦ部１１１は、ＰＳＴＮ網と接続するためのインターフェースである。
【００２２】
変換部１１２は、従来から行われているアナログ信号とデジタル信号との相互変換、データの圧縮及び復元、ならびに、パケットの分割及び結合、といった処理の他に、後述するＩＰ網ＩＦ部１１３を介してＲＴＣＰのＡＰＰ（APPlication-Defined）に従ったＲＴＣＰ／ＡＰＰパケットを受信した場合には、後述する制御部１１６のＲＴＰ制御部１１８による制御に従って、後述するＲＴＣＰ／ＡＰＰパケット１４０のサービス番号格納領域１４８に格納されているサービス番号と、制御番号格納領域１４９に格納されている制御番号と、により特定される制御信号を、回線ＩＦ部１１１を介して、Ｔ−ＮＣＵ１０２に送信する処理を行う。
【００２３】
また、Ｔ−ＮＣＵ１０２から特定の制御信号（本実施形態においては、図７に示されている通知情報テーブル１１５ｇの内容欄１１５ｉで特定されている内容の情報を通知するための制御信号）を受信した場合には、後述する制御部１１６のＲＴＰ制御部１１８による制御に従って、当該制御信号により特定される内容に該当する実行結果番号を実行結果格納領域１５０に格納したＲＴＣＰ／ＡＰＰパケット１４０を生成し、後述するＩＰ網ＩＦ部１１３及びＩＰ網１０６を介して、交換機１２０に送信する処理を行う。
【００２４】
なお、本実施形態で使用するＲＴＣＰ／ＡＰＰパケットの詳細については、図４を用いて後述する。
【００２５】
また、変換部１１２は、テレメータ１０１で検針されたデータについてはＲＴＰパケットに格納して、後述するＩＰ網ＩＦ部１１３及びＩＰ網１０６を介して、交換機１２０に送信する処理を行う。
【００２６】
ＩＰ網ＩＦ部１１３は、ＩＰ網に接続するためのインターフェースである。
【００２７】
記憶部１１４には、ＲＴＰ情報記憶領域１１５が設けられている。
【００２８】
ＲＴＰ情報記憶領域１１５には、ＲＴＣＰのＡＰＰに従って、制御信号を送受信するための情報が記憶されている。
【００２９】
例えば、図５に示されているサービス情報テーブル１１５ａと、図６に示されている制御情報テーブル１１５ｄと、図７に示されている通知情報テーブル１１５ｇと、制御情報テーブル１１５ｄの制御内容欄１１５ｆに登録される制御内容の各々に対応する制御信号と、通知情報テーブル１１５ｇの内容欄１１５ｉに登録される内容の各々に対応する制御信号と、が記憶されている。
【００３０】
サービス情報テーブル１１５ａには、サービスの内容を識別するための識別情報と、サービスの内容を特定するための内容情報と、が登録される。
【００３１】
具体的に、サービス情報テーブル１１５ｇには、図５に示されているように、サービス番号欄１１５ｂと、サービス内容欄１１５ｃと、が設けられている。
【００３２】
サービス番号欄１１５ｂには、サービスの内容を一意に識別するための識別情報であるサービス番号が登録される。
【００３３】
サービス内容欄１１５ｃには、サービスの内容を特定するための内容情報であるサービス名が登録される。
【００３４】
制御情報テーブル１１５ｄには、図５に示されるサービス番号で特定されるサービス毎に、制御の内容を識別するための識別情報と、制御の内容を特定するための内容情報と、が登録される。
【００３５】
具体的に、制御情報テーブル１１５ｄには、図６に示されているように、制御番号欄１１５ｅと、制御内容欄１１５ｆと、が設けられている。
【００３６】
制御番号欄１１５ｅには、制御の内容を一意に識別するための識別情報である制御番号が登録される。
【００３７】
制御内容欄１１５ｆには、制御の内容を特定する内容情報として、制御名が登録される。
【００３８】
なお、ＲＴＰ情報記憶領域１１５には、制御番号欄１１５ｅ及び制御内容欄１１５ｆで特定される制御毎に、当該制御をテレメータ１０１に通知するための制御信号が各々の制御に対応付けられて記憶されている。
【００３９】
通知情報テーブル１１５ｇには、図５に示されるサービス番号で特定されるサービス毎に、センタ側装置１０５に通知するための各々の通知情報を識別するための識別情報と、センタ側装置１０５に通知するための各々の通知情報の内容を特定する内容情報と、が登録される。
【００４０】
具体的に、通知情報テーブル１１５ｇには、図７に示されているように、実行結果番号欄１１５ｈと、内容欄１１５ｉと、が設けられている。
【００４１】
実行結果番号欄１１５ｈには、センタ側装置１０５に通知するための通知情報を一意に識別するための識別情報である実行結果番号が登録される。
【００４２】
内容欄１１５ｉには、センタ側装置１０５に通知するための通知情報を特定するための内容情報である通知内容が登録される。
【００４３】
なお、ＲＴＰ情報記憶領域１１５には、実行結果番号欄１１５ｈ及び内容欄１１５ｉで特定される通知内容毎に、テレメータ１０１から通知されるアナログ信号が各々の通知内容に対応付けられて記憶されている。
【００４４】
制御部１１６には、全体制御部１１７と、ＲＴＰ制御部１１８と、が設けられている。
【００４５】
全体制御部１１７は、アナログ信号とデジタル信号との相互変換と、データの圧縮・復元と、パケットの分割・結合と、いった従来から行われているネットワークの接続機能を制御する。
【００４６】
ＲＴＰ制御部１１８は、本実施形態におけるＲＴＰ制御を行う。
【００４７】
具体的には、ＲＴＰ制御部１１８は、ＩＰ網ＩＦ部１１３を介してＲＴＣＰ／ＡＰＰパケット１４０を受信した場合には、ＲＴＣＰ／ＡＰＰパケット１４０のサービス番号格納領域１４８に格納されているサービス番号と、制御番号格納領域１４９に格納されている制御番号と、により特定される制御内容に対応する制御信号を記憶部１１４のＲＴＰ情報記憶領域１１５から取り出し、回線ＩＦ部１１１を介して、Ｔ−ＮＣＵ１０２に送信する制御を行う。
【００４８】
また、ＲＴＰ制御部１１８は、回線ＩＦ部１１１を介して、Ｔ−ＮＣＵ１０２から特定の制御信号を受信した場合には、各々の通知内容に対応付けられて記憶されているアナログ信号に基づいて、受信した制御信号に対応する通知内容を特定し、特定した通知内容に対応する実行結果番号を実行結果番号欄１１５ｈから抽出し、抽出した実行結果番号をＲＴＣＰ／ＡＰＰパケット１４０の実行結果格納領域１５０に格納して、ＩＰ網ＩＦ部１１３を介して、センタ側装置１０５に送信する制御を行う。
【００４９】
さらに、ＲＴＰ制御部１１３は、回線ＩＦ部１１１を介して、テレメータ１０１で検針されたデータを受信した場合には、当該データをＲＴＰパケットに格納して、ＩＰ網ＩＦ部１１３を介して、センタ側装置１０５に送信する制御を行う。
【００５０】
図３は、本実施形態である交換機１２０の概略図である。
【００５１】
図示するように、本実施形態である交換機１２０は、ＩＰ網ＩＦ部１２１と、変換部１２２と、スイッチ（以下、ＳＷ）部１２３と、回線ＩＦ部１２４と、ノーリンキングトランク処理部（以下、ＮＲＴ処理部）１２５と、ＤＴ（Dial Tone）処理部１２６と、記憶部１２７と、制御部１２９と、を備えている。
【００５２】
ＩＰ網ＩＦ部１２１は、ＩＰ網に接続するためのインターフェースである。
【００５３】
変換部１２２は、従来から行われているアナログ信号とデジタル信号との相互変換、データの圧縮及び復元、ならびに、パケットの分割及び結合、といった処理の他に、ＩＰ網ＩＦ部１２１を介してＲＴＣＰ／ＡＰＰパケットを受信した場合には、後述する制御部１２９のＲＴＰ制御部１３１による制御に従って、ＲＴＣＰ／ＡＰＰパケット１４０のサービス番号格納領域１４８に格納されているサービス番号と、実行結果格納欄１５０に格納されている実行結果番号と、により特定される通知情報を示す制御信号を、回線ＩＦ部１２４を介して、Ｃ−ＮＣＵ１０４に送信する。
【００５４】
また、変換部１２２は、Ｃ−ＮＣＵ１０４から特定の制御信号（本実施形態においては、図７に示されている制御情報テーブル１１５ｄの制御内容欄１１５ｆに特定されている制御内容を伝達するための制御信号）を受信した場合には、後述する制御部１２９のＲＴＰ制御部１３１による制御に従って、当該制御信号により特定される内容に該当する制御番号を制御番号格納領域１４９に格納したＲＴＣＰ／ＡＰＰパケット１４０を、ＩＰ網ＩＦ部１２１を介して、テレメータ１０１に送信する。
【００５５】
さらに、変換部１２２は、テレメータ１０１で検針されたデータを格納したＲＴＰパケットを受信した場合には、当該データを復元して、回線ＩＦ部１２４を介して、センタ側装置１０５に送信する。
【００５６】
ＳＷ部１２３は、後述する制御部１２９の指示に従い、変換部１２２、回線ＩＦ部１２４及びＮＲＴ処理部１２５の接続又は切断を行う。
【００５７】
回線ＩＦ部１２４は、ＰＳＴＮ網に接続するためのインターフェースである。
【００５８】
ＮＲＴ処理部１２５は、回線ＩＦ部１２４を介して、センタ側装置１０５からノーリンギングサービスの要求信号（第一選択信号）を受信した場合に、ノーリンギングサービスに関する所定の制御信号を処理する。
【００５９】
具体的には、ＮＲＴ処理部１２５は、接続制御信号（以下、ＮＲＴＳ信号）の生成、第２選択信号要求信号（以下、ＳＤＲ信号）の生成、ノーリンギング呼出信号（以下、ＮＲＳ信号）の生成、および、結果応答信号（以下、ＡＮＳ信号）の受信、といったノーリンキングサービスにおける制御信号の処理を行う。
【００６０】
ＤＴ処理部１２６は、センタ側装置１０５の接続要求（Ｏｆｆ  ｈｏｏｋ）に対して、ダイヤルトーンを生成して、回線ＩＦ部１２４を介して送信する処理を行う。
【００６１】
記憶部１２７には、ＲＴＰ情報記憶領域１２８が設けられており、ＲＴＰ情報記憶領域１２８には、上述のＲＴＰ情報記憶領域１１５と同様の情報が記憶されている。
【００６２】
制御部１２９には、全体制御部１３０と、ＲＴＰ制御部１３１と、を備えている。
【００６３】
全体制御部１３０は、交換機１２０で行う処理の全体を制御し、特に、本実施形態では、ＳＷ部１２３の制御を行う。
【００６４】
ＲＴＰ制御部１３１は、本実施形態におけるＲＴＰ制御を行う。
【００６５】
具体的には、ＲＴＰ制御部１３１は、ＮＲＴ処理部１２５がＴ−ＮＣＵ１０２に送信するために生成した制御信号で示す制御内容（極性反転又は極性復旧）に対応する制御番号を制御情報テーブル１１５ｄの制御番号欄１１５ｅから抽出して、ＲＴＣＰ／ＡＰＰパケット１４０の制御番号格納領域１４９に格納し、ＩＰ網ＩＦ部１２１を介して、センタ側装置１０５に送信する制御を行う。
【００６６】
また、ＲＴＰ制御部１３１は、ＩＰ網ＩＦ部１２１を介してＲＴＣＰ／ＡＰＰパケット１４０を受信した場合には、ＲＴＣＰ／ＡＰＰパケット１４０のサービス番号格納領域１４８に格納されているサービス番号と、実行結果格納領域１５０に格納されている実行結果番号と、により特定される通知内容に対応する制御信号を記憶部１２７のＲＴＰ情報記憶領域１２８から取り出し、回線ＩＦ部１２４を介して、Ｃ−ＮＣＵ１０４に送信する制御を行う。
【００６７】
さらに、ＲＴＰ制御部１３１は、ＮＲＴ処理部１２５がＴ−ＮＣＵ１０２に送信するために生成した制御信号（ＮＲＳ信号）をＲＴＰパケットのペイロード部分に格納して、ＩＰ網ＩＦ部１２１を介して、センタ側装置１０５に送信する制御を行う。
【００６８】
また、ＲＴＰ制御部１３１は、ＩＰ網ＩＦ部１２１を介してＲＴＰパケットを受信した場合には、ＲＴＰパケットに格納されているＡＮＳ信号を抽出してＮＲＴ処理部１２５に送る制御を行う。
【００６９】
そして、ＲＴＰ制御部１３１は、ＩＰ網ＩＦ部１２１を介して、テレメータ１０１で検針されたデータを格納したＲＴＰパケットを受信した場合には、当該データをＲＴＰパケットから抽出して、回線ＩＦ部１２４を介して、Ｃ−ＮＣＵ１０４に送信する制御を行う。
【００７０】
図４は、通信システム１００において使用されるＲＴＣＰ／ＡＰＰパケット１４０のフォーマットを示す概略図である。
【００７１】
図示するように、本実施形態で使用されるＲＴＣＰ／ＡＰＰパケット１４０は、ＲＴＰのバージョンを識別するための２ビットの情報を格納するバージョン情報（Ｖ）格納領域１４１と、ＲＴＣＰ／ＡＰＰパケット１４０が１以上のパディングオクテットを含んでいるか否かを示す１ビットの情報を格納するパディングビット（Ｐ）格納領域１４２と、ＲＴＣＰ／ＡＰＰパケット１４０の定義を識別するための５ビットの情報を格納するためのサブタイプ（ｓｕｂｔｙｐｅ）格納領域１４３と、ＲＴＣＰ／ＡＰＰパケット１４０がＡＰＰであることを示す８ビットの情報を格納するパケットタイプ（ＰＴ）格納領域１４４と、ＲＴＣＰ／ＡＰＰパケット１４０の長さを示す１６ビットの情報を格納するパケット長（length）格納領域１４５と、ＳＳＲＣ（Synchronization source）識別子又はＣＳＲＣ（Contributing source）識別子を示す３２ビットの情報を格納するＳＳＲＣ／ＣＳＲＣ格納領域１４６と、ＡＳＣＩＩ（American Standard Code for Information Interchange）コードで記載されるＡＰＰに固有に付けられた名称を示す３２ビットの情報を格納するネーム（ｎａｍｅ）格納領域１４７と、サービスの内容を一意に特定するためのサービス番号を示す１６ビットの情報を格納するサービス番号格納領域１４８と、制御の内容を一意に識別するための制御番号を示す１６ビットの情報を格納する制御番号格納領域１４９と、センタ側装置１０５に通知するための通知情報を一意に識別するための実行結果番号を示す１６ビットの情報を格納する実行結果格納領域１５０と、予備的な情報を格納する１６ビットの予備格納領域１５１と、を備えている。
【００７２】
以上のように構成される通信システム１００においてセンタ側装置１０５でノーリンギングサービスを受ける場合の処理を図８及び図９に示すシーケンス図を用いて説明する。
【００７３】
まず、図８に示されているように、センタ側装置１０５の接続要求（Ｏｆｆ  ｈｏｏｋ）を交換機１２０において検出すると（１０）、交換機１２０では、ＤＴ処理部１２６においてダイヤルトーンを生成し、回線ＩＦ部１２４を介して、生成したダイヤルトーンをセンタ側装置１０５に送信する（１１）。
【００７４】
交換機１２０からのダイヤルトーンを受信したセンタ側装置１０５では、第一選択信号を交換機１２０に送信するとともに（１２）、ＮＲＴＳ信号の送信を開始する（１３）。
【００７５】
第一選択信号を受信した交換機１２０では、全体制御部１３０がＳＷ部１２３を制御して、ＮＲＴ処理部１２５と回線ＩＦ部１２４との間のパスを接続する（１４）。
【００７６】
そして、ＮＲＴ処理部１２５は、ＮＲＴＳ信号の受信後、回線ＩＦ部１２４を介して、センタ側装置１０５にＳＤＲ信号の送出を開始する（１５）。
【００７７】
ＳＤＲ信号を受信したセンタ側装置１０５では、ＮＲＴＳ信号の送信を一時停止する（１６）。
【００７８】
また、ＮＲＴＳ信号の一時停止を検知した交換機１２０では、ＳＤＲ信号の送信を停止する（１７）。
【００７９】
ＳＤＲ信号の停止を検出したセンタ側装置１０５では、検針を行うテレメータ１０１に接続されているＴ−ＮＣＵ１０２のロケーションを特定した第２選択信号を交換機１２０に送信するとともに（１８）、ＮＲＳ選択信号を交換機１２０に送信し（１９）、ＮＲＴＳ信号の再送信を開始する（２０）。
【００８０】
そして、第２選択信号及びＮＲＳ信号を受信したＮＲＴ処理部１２５は、全体制御部１３０に通知し、全体制御部１３０は、ＳＷ部１２３を制御して、ＮＲＴ処理部１２５と変換部１２２との間のパスを接続する（２１）。
【００８１】
また、交換機１２０の全体制御部１３０は、ＩＰ網ＩＦ部１２１を介して、ＳＩＰに従ったセッションの確立要求であるＩＮＶＩＴＥメッセージをＳＩＰサーバ１０３に送信する（２２）。
【００８２】
ＩＮＶＩＴＥメッセージを受信したＳＩＰサーバ１０３では、接続先であるＴ−ＮＣＵ１０２が接続されているゲートウェイ装置１１０にＩＮＶＩＴＥメッセージを送信するとともに（２３）、交換機に対してＩＮＶＩＴＥメッセージを受信したことを通知する１００ＴＲＹＩＮＧのメッセージを返信する（２４）。
【００８３】
そして、ＳＩＰサーバ１０３からＩＮＶＩＴＥメッセージを受信したゲートウェイ装置１１０は、Ｔ−ＮＣＵ１０２との間の接続を確立する処理を行うとともに（２５）、リクエストに対する処理を行っていることを通知する１８０ＲＩＮＧＩＮＧのメッセージをＳＩＰサーバ１０３に送信し、ＳＩＰサーバ１０３は、交換機１２０に１８０ＲＩＮＧＩＮＧのメッセージを送信する（２７）。
【００８４】
また、ゲートウェイ装置１１０は、Ｔ−ＮＣＵ１０２との間の接続が確立された場合には、リクエストが成功したことを通知する２００ＯＫのメッセージをＳＩＰサーバ１０３に送信し（２８）、ＳＩＰサーバ１０３は、２００ＯＫのメッセージを交換機１２０に送信する（２９）。
【００８５】
２００ＯＫのメッセージを受信した交換機１２０は、受信確認応答であるＡＣＫのメッセージをＳＩＰサーバ１０３に送信し（３０）、ＳＩＰサーバ１０３は、ＡＣＫのメッセージをゲートウェイ装置１１０に送信する（３１）。
【００８６】
また、２００ＯＫのメッセージを受信した交換機１２０は、ＲＴＰ制御部１３１での処理を開始する（３２）。
【００８７】
そして、図９に示されているように、ＲＴＰ制御部１１８での処理を開始した交換機１２０では、ＮＲＴ処理部１２５で生成した極性反転の制御信号を変換部１２２に送り、このような極性反転の制御信号を受けた変換部１２２では、そのような制御信号を受けた旨をＲＴＰ制御部１３１に伝え、ＲＴＰ制御部１３１では、ＲＴＰ情報記憶領域１２８に記憶されている制御情報テーブル１１５ｄの制御内容欄１１５ｆに極性反転と登録されている行の制御番号欄１１５ｅに登録されている制御番号を抽出し、変換部１２２に送る。このような制御番号を受けた変換部１２２では、当該制御番号を制御番号格納領域１４９に格納したＲＴＣＰ／ＡＰＰパケット１４０を生成し、ＩＰ網ＩＦ部１２１を介して、ゲートウェイ装置１１０に送信する（３３）。
【００８８】
このようなパケットを受信したゲートウェイ装置１１０では、変換部１１２において、制御番号格納領域１４９に格納されている制御番号を抽出して、ＲＴＰ制御部１１８に送る。このような制御番号を受けたＲＴＰ制御部１１８では、当該制御番号に対応する制御内容を制御情報テーブル１１５ｄにおいて特定し、特定した制御内容に対応する制御信号をＲＴＰ情報記憶領域１１５から抽出して、変換部１１２に送る。そして、変換部１１２は、回線ＩＦ部１１１を介して、ＲＴＰ制御部１１８から受けた極性反転の制御信号をＴ−ＮＣＵ１０２に送信する（３４）。
【００８９】
また、ゲートウェイ装置１１０のＲＴＰ制御部１１８は、極性反転の制御信号をＴ−ＮＣＵ１０２に送信してから、通知情報テーブル１１５ｇの内容欄１１５ｉが正常終了である行の実行結果番号欄１１５に登録されている実行結果番号をＲＴＰ情報記憶領域１１５から抽出し、抽出した実行結果番号を変換部１１２に送る。そして、変換部１１２では、ＲＴＰ制御部１１８から受けた実行結果番号を実行結果格納領域１５０に格納したＲＴＣＰ／ＡＰＰパケット１４０を生成し、ＩＰ網ＩＦ部１１３を介して、交換機１２０に送信する（３５）。
【００９０】
このようなパケットを受信した交換機１２０では、ＲＴＰ制御部１３１の制御によりＮＲＴ処理部１２５がＮＲＳ信号を生成し、変換部１２２に送る。そして、変換部１２２では、受けたＮＲＳ信号をＲＴＰパケットに格納してゲートウェイ装置１１０に送信する（３６）。
【００９１】
このようなパケットを受信したゲートウェイ装置１１０では、ＲＴＰパケットからＮＲＳ信号を取り出し、回線ＩＦ部１１１を介して、取り出したＮＲＳ信号をＴ−ＮＣＵ１０２に送信する（３７）。
【００９２】
ＮＲＳ信号を受信したＴ−ＮＣＵ１０２は、ＡＮＳ信号を返送する（３８）。そして、Ｔ−ＮＣＵ１０２からＡＮＳ信号を受信したゲートウェイ装置１１０は、変換部１１２において受信したＡＮＳ信号をＲＴＰパケットに格納して、交換機１２０に送信する（３９）。
【００９３】
このようなパケットを受信した交換機１２０では、ＩＰ網ＩＦ部１２１においてＡＮＳ信号が取り出され、ＮＲＴ処理部１２５に送られる。そして、ＮＲＴ処理部１２５では、ＡＮＳ信号を受信した通知を全体制御部１３０に通知し、全体制御部１３０は、極性反転の指示をＮＲＴ処理部１２５に行い、ＮＲＴ処理部１２５では、極性反転の制御信号を生成して、回線ＩＦ部１２４を介して、Ｃ−ＮＣＵ１２４に送信する（４０）。
【００９４】
そして、全体制御部１３０は、ＳＷ部１２３を制御して、変換部１２２と回線ＩＦ部１２４との間のパスを接続し（４１）、Ｔ−ＮＣＵ１０２とセンタ側装置１０５との間の通信を可能にする（４２）。ここで、Ｔ−ＮＣＵ１０２とゲートウェイ装置１１０との間の通信はアナログ信号を介して行われ、ゲートウェイ装置１１０と交換機１２０との間の通信はＲＴＰパケットを介して行われ、交換機１２０とセンタ側装置１０５との間の通信はアナログ信号を介して行われる。
【００９５】
なお、データの送受信時にゲートウェイ装置１１０と交換機１２０との間のヘルスチェックにＲＴＣＰパケットのＳＲ／ＲＲを使用する場合もある。
【００９６】
センタ側装置１０５は、Ｔ−ＮＣＵ１０２との間のデータの送受信が完了すると（４３）、ＮＲＴＳ信号の再送信を停止する（４４）。
【００９７】
センタ側装置１０５からのＮＲＴＳ信号の再送出が停止されたことを検知した交換機１２０では、ＲＴＰ制御部１３１がＲＴＰ情報記憶領域１２８に記憶されている制御情報テーブル１１５ｄから極性復旧の制御番号を抽出して、変換部１２２に送る。そして、変換部１２２では、ＲＴＰ制御部１３１から受けた極性復旧の制御番号を制御番号格納領域１４９に格納したＲＴＣＰ／ＡＰＰパケット１４０を生成して、ＩＰ網ＩＦ部１２１を介して、ゲートウェイ装置１１０に送信する（４５）。
【００９８】
このようなパケットを受信したゲートウェイ装置１１０では、変換部１１２において制御番号格納領域１４９から制御番号が抽出され、ＲＴＰ制御部１１８にこの制御番号が送られる。そして、ＲＴＰ制御部１１８では、当該制御番号に対応する極性復旧の制御信号をＲＴＰ情報記憶領域１１５から抽出して、Ｔ−ＮＣＵ１０２に送信する（４６）。
【００９９】
また、ゲートウェイ装置１１０のＲＴＰ制御部１１８は、極性復旧の制御信号をＴ−ＮＣＵ１０２に送信してから、通知情報テーブル１１５ｇの内容欄１１５ｉが正常終了である行の実行結果番号欄１１５に登録されている実行結果番号をＲＴＰ情報記憶領域１１５から抽出し、抽出した実行結果番号を変換部１１２に送る。そして、変換部１１２では、ＲＴＰ制御部１１８から受けた実行結果番号を実行結果格納領域１５０に格納したＲＴＣＰ／ＡＰＰパケット１４０を生成し、ＩＰ網ＩＦ部１１３を介して、交換機１２０に送信する（４７）。
【０１００】
そして、このようなＲＴＣＰ／ＡＰＰパケット１４０を受信した交換機１２０では、回線ＩＦ部１１１からＲＴＰ制御部１１８に正常終了を通知し、ＲＴＰ制御部１１８は、ＮＲＴ処理部１２５に極性復旧の制御信号の生成を指示し、回線ＩＦ部１２４を介して、生成された極性復旧の制御信号をセンタ側装置１０５に送信する（４８）。
【０１０１】
極性復旧の制御信号を受信したセンタ側装置１０５は、交換機１２０に回線の切断指示を送信する（４９）。
【０１０２】
このような回線の切断指示を受信した交換機１２０では、全体制御部１３０によりＳＷ部１２３におけるパスの切断が行われ（５０）、ＳＩＰサーバ１０３にセッションの終了を伝えるＢＹＥのメッセージ５０が送信される（５１）。
【０１０３】
そして、ＳＩＰサーバ１０３は、ＢＹＥのメッセージを受信するとゲートウェイ装置１１０にＢＹＥのメッセージを送信する（５２）。
【０１０４】
ＢＹＥのメッセージを受信したゲートウェイ装置１１０では、セッションの終了が成功したことを通知する２００ＯＫのメッセージをＳＩＰサーバ１０３に送信し（５３）、ＳＩＰサーバ１０３は、２００ＯＫのメッセージを交換機１２０に送信する（５４）。
【０１０５】
以上に記載した実施形態においては、交換機１２０とゲートウェイ装置１１０との間で通信するＮＲＳ信号とＡＮＳ信号は、ＲＴＰパケットに格納して送受信するようにしているが、このような態様に限定されるわけではなく、例えば、これらの信号を識別するための識別情報とこれらの信号をＲＴＰ情報記憶領域１１５、１２８に記憶しておくことで、ＲＴＣＰ／ＡＰＰパケットを用いてこれらの信号の送受信を行うことも可能である。
【図面の簡単な説明】
【０１０６】
【図１】通信システム１００の概略図。
【図２】ゲートウェイ装置１１０の概略図。
【図３】交換機１２０の概略図。
【図４】通信システム１００において使用されるＲＴＣＰ／ＡＰＰパケット１４０のフォーマットを示す概略図。
【図５】サービス情報テーブル１１５ａの概略図。
【図６】制御情報テーブル１１５ｄの概略図。
【図７】通知情報テーブル１１５ｇの概略図。
【図８】通信システム１００においてセンタ側装置１０５でノーリンギングサービスを受ける場合の処理を示すシーケンス図。
【図９】通信システム１００においてセンタ側装置１０５でノーリンギングサービスを受ける場合の処理を示すシーケンス図。
【符号の説明】
【０１０７】
１００  通信システム
１０１  テレメータ
１０２  端末用網制御装置
１０３  ＳＩＰサーバ
１０４  センタ用網制御装置
１０５  センタ側装置
１０６  ＩＰ網
１１０  ゲートウェイ装置
１１１  回線ＩＦ部
１１２  変換部
１１３  ＩＰ網ＩＦ部
１１４  記憶部
１１６  制御部
１２０  交換機
１２１  ＩＰ網ＩＦ部
１２２  変換部
１２３  スイッチ
１２４  回線ＩＦ部
１２５  ノーリンキングトランク処理部
１２６  ＤＴ処理部
１２７  記憶部
１２９  制御部
【図１】
2008042587.tif 000003
【図２】
2008042587.tif 000004
【図３】
2008042587.tif 000005
【図４】
2008042587.tif 000006
【図５】
2008042587.tif 000007
【図６】
2008042587.tif 000008
【図７】
2008042587.tif 000009
【図８】
2008042587.tif 000010
【図９】
2008042587.tif 000011